(57)【要約】      （修正有）【課題】収容具近傍での作業を容易ならしめることができる収容具を提供する。【解決手段】平らな配置面１０１に置かれ、配置面に対して平行方向から少なくとも収容物２０１を取り囲むように形成された壁体の内部に収容物を収容する収容具１１であって、配置面に置かれ、収容物を収容し、該壁体の一部を有する本体部２１と、壁体の残部を有し、本体部に対して相対的に移動可能に支持される変位部６１と、を備えてなり、残部６３ａ、６５が、収容物を取り囲む壁体を構成する位置である覆い位置と、覆い位置に存する該残部の表面よりも配置面から遠い位置において該残部の表面が配置面方向とは逆方向を向く位置である載置位置と、の両位置を取り得るものである、収容具である。【選択図】図２
2018064660.tif 000002
【特許請求の範囲】
【請求項１】
平らな配置面に置かれ、配置面に対して平行方向から少なくとも収容物を取り囲むように形成された壁体の内部に収容物を収容する収容具であって、
配置面に置かれ、収容物を収容し、該壁体の一部を有する本体部と、
該壁体の残部を有し、本体部に対して相対的に移動可能に支持される変位部と、を備えてなり、
該残部が、収容物を取り囲む壁体を構成する位置である覆い位置と、覆い位置に存する該残部の表面よりも配置面から遠い位置において該残部の表面が配置面方向とは逆方向を向く位置である載置位置と、の両位置を取り得るものである、収容具。
【請求項２】
本体部が、収容物を載置する第２本体部と、収容物を載置した第２本体部の少なくとも一部をスライド自在に収容する第１本体部と、を含んでなる、請求項１に記載の収容具。
【請求項３】
変位部の重心位置の配置面への正投影が、覆い位置から載置位置へ遷移する際に移動するものであり、
本体部が配置面に当接する位置が、第１本体部に対する第２本体部のスライド位置に関わらず、覆い位置における変位部の重心位置の正投影と載置位置における変位部の重心位置の正投影との該移動方向に沿った間の領域の一方の外側において第１本体部が配置面に当接し、該領域の他方の外側において第２本体部が配置面に当接するものである、請求項２に記載の収容具。
【請求項４】
第１本体部及び第２本体部が、配置面を転動する転動部を含んでなるものである、請求項２又は３に記載の収容具。
【請求項５】
載置位置における残部の前記表面の縁部が、当該収容具に対して相対的な所定の位置に存する使用者に向かって、配置面に沿った方向に突出するものであり、
第２本体部と第１本体部とが配置面に当接し、
載置位置における残部の前記表面の重心位置から、配置面に沿った方向に突出する該縁部に向かう方向と、第１本体部に対して第２本体部を引き出す方向が略平行である、請求項２乃至４のいずれか１に記載の収容具。
【請求項６】
変位部が本体部に対して回動可能なものであり、該回動により覆い位置と載置位置との両位置を遷移するものである、請求項１乃至５のいずれか１に記載の収容具。
【請求項７】
本体部に対する変位部の前記回動の軸が配置面に略平行なものである、請求項６に記載の収容具。
【請求項８】
覆い位置と載置位置との両位置のうち少なくともいずれかの一位置において、本体部に対する変位部の回動のうち該両位置の該一位置から他位置への回動を禁止する回動禁止手段を有するものである、請求項６又は７に記載の収容具。
【請求項９】
回動禁止手段が、本体部及び変位部のいずれか一方に直接又は間接に取り付けられた把手部と、本体部及び変位部のいずれか他方に直接又は間接に取り付けられ把手部と係合することで前記回動を禁止する係合部と、を含んでなる、請求項８に記載の収容具。
【発明の詳細な説明】
【技術分野】
【０００１】
本発明は、収容具に関し、より詳細には、配置面に対して平行方向から少なくとも収容物を取り囲むように形成された壁体の内部に収容物を収容する収容具に関する。
【背景技術】
【０００２】
以前から、配置面に対して平行方向から少なくとも収容物を取り囲むように形成された壁体の内部に収容物を収容する収容具は多用されてきた（例えば、特許文献１参照）。
特許文献１は、収容具たるスーツケースに関し、『誰でも簡単に内装布を着脱することができ、外した内装布を洗ったり、破損した内装布を交換したりすることが簡単にできるスーツケースを提供』（特許文献１の段落番号０００５）するためになされたもので、『箱体と開閉自在に連結された蓋体とを有し、内装布襠部の上端周縁と箱体襠部の上端周縁とが着脱自在に接合され、内装布が箱体に着脱自在に取り付けてあることを特徴とするスーツケース』（特許文献１の請求項１）が開示されている。かかる収容具たるスーツケースによれば、『誰でも内装布を簡単に着脱することができるため、把手やキャスターなどの付属設備の修理は内装布を取り外して実施できる。さらに、内装布が汚れた時には取り外して洗うことができるし、破れて破損した時には内装布を交換できるほか、使用者の好みに応じて、柄、色、素材の異なる内装布に付け替えることもできる。』（特許文献１の段落番号０００９）というものである。
【先行技術文献】
【特許文献】
【０００３】
【特許文献１】特開2009-148324号公報（例えば、要約、発明の詳細な説明中の段落番号０００１〜０００９、第１図、第２図等）
【発明の概要】
【発明が解決しようとする課題】
【０００４】
特許文献１に開示の収容具（特許文献１においてはスーツケース）によれば、前述の如く、誰でも内装布を簡単に着脱することができるが、収容具近傍で作業（筆記作業、パソコンを用いた作業、物品の組み立て作業等）を行うための便を考慮しておらず、該作業を行うことは難儀な場合も多かった。
そこで、本発明では、収容具近傍での作業を容易ならしめることができる収容具を提供することを目的とする。
【課題を解決するための手段】
【０００５】
本発明の収容具（以下、「本収容具」という）は、平らな配置面に置かれ、配置面に対して平行方向から少なくとも収容物を取り囲むように形成された壁体の内部に収容物を収容する収容具であって、配置面に置かれ、収容物を収容し、該壁体の一部を有する本体部と、該壁体の残部を有し、本体部に対して相対的に移動可能に支持される変位部と、を備えてなり、該残部が、収容物を取り囲む壁体を構成する位置である覆い位置と、覆い位置に存する該残部の表面よりも配置面から遠い位置において該残部の表面が配置面方向とは逆方向を向く位置である載置位置と、の両位置を取り得るものである、収容具である。
【０００６】
本収容具は、平らな配置面に置かれ、配置面に対して平行方向から少なくとも収容物を取り囲むように形成された壁体の内部に収容物を収容する収容具である。平らな配置面に置かれた本収容具は、壁体の内部に収容物を収容するものであり、この壁体は、配置面に対して平行方向から少なくとも収容物を取り囲むように形成されている（壁体が取り囲むことによって形成する壁体の内部に収容物が収容される。なお、壁体は、配置面に対して平行方向から収容物を少なくとも取り囲むものであり、配置面に対して平行方向とは異なる方向から収容物を取り囲むか否かは問わない。）。
本収容具は、本体部と変位部とを備えてなる。
本体部は、配置面に置かれると共に、収容物を収容する。本体部は、壁体の一部を有している。
変位部は、本体部に対して相対的に移動可能に支持される。変位部は、壁体の残部を有している（変位部が有する該残部と、本体部が有する該一部と、により壁体が構成される。）。
そして、変位部が本体部に対して相対的に移動することで、変位部が有する該残部が、覆い位置と載置位置との両位置を取り得る。覆い位置は、該残部が、本体部が有する該一部と一緒になって収容物を取り囲む壁体（配置面に対して平行方向から少なくとも収容物を取り囲む壁体）を構成する位置である。載置位置は、覆い位置に存する該残部の表面よりも配置面から遠い位置（覆い位置に存する該残部の表面から配置面に下ろした垂線の長さよりも、載置位置に存する該残部の表面から配置面に下ろした垂線の長さの方が長い）において該残部の表面が配置面方向とは逆方向を向く（配置面に置かれた本収容具を、配置面に対して垂直な方向から見たとき（観察者と配置面との間に本収容具が存する）に該残部の表面が見える状態）位置である。なお、該残部の該表面の垂線と、配置面に対して垂直かつ配置面を基端とし本収容具方向に伸びる線分と、がなす角度（該垂線を平行移動させて該線分と交わるようにした際の該交わる角度をいい、０度以上９０度未満である。）が、好ましくは３０度以下、より好ましくは１５度以下、最も好ましくは５度以下である。
このような本収容具によれば、覆い位置の該残部は該一部と一緒になって壁体を構成し収容物を取り囲むと共に、載置位置の該残部は、覆い位置に存する該残部の表面よりも配置面から遠い位置において該残部の表面が配置面方向とは逆方向を向くので、載置位置の該残部の該表面を机やテーブルの上面と同様に用いて作業（筆記作業、パソコンを用いた作業、物品の組み立て作業等）を行うことができる。即ち、本収容具によれば、覆い位置においては収容物を取り囲んで保護して収容物を収容でき、載置位置においては該残部の該表面を用いて作業を行うことができるので、本収容具近傍での作業を容易ならしめることができる。
【０００７】
本収容具においては、本体部が、収容物を載置する第２本体部と、収容物を載置した第２本体部の少なくとも一部をスライド自在に収容する第１本体部と、を含んでなるもの（以下、「スライド本収容具」という）であってもよい。
本体部は、配置面に置かれ、収容物を収容するが、第１本体部と第２本体部とを含んでなり、第２本体部は収容物を載置し、第１本体部は、収容物を載置した第２本体部の少なくとも一部をスライド自在に収容するようにすれば、第２本体部に収容物を載置し、収容物を載置した第２本体部を第１本体部にスライドし収容したり、第１本体部に収容された第２本体部（収容物が載置されている）を第１本体部からスライドし引き出すことができるので、収容物を収容したり取り出したりを容易に行うことができる。
【０００８】
スライド本収容具においては、変位部の重心位置の配置面への正投影が、覆い位置から載置位置へ遷移する際に移動するものであり、本体部が配置面に当接する位置が、第１本体部に対する第２本体部のスライド位置に関わらず、覆い位置における変位部の重心位置の正投影と載置位置における変位部の重心位置の正投影との該移動方向に沿った間の領域の一方の外側において第１本体部が配置面に当接し、該領域の他方の外側において第２本体部が配置面に当接するものであってもよい。
変位部の重心位置の配置面への正投影が、変位部が本体部に対して相対的に移動して覆い位置から載置位置へ遷移する際に移動する場合には、第１本体部に対する第２本体部のスライド位置に関わらず、覆い位置における変位部の重心位置の正投影（以下、「覆い正投影」という）と載置位置における変位部の重心位置の正投影（以下、「載置正投影」という）との該移動方向に沿った間の領域の一方の外側において第１本体部が配置面に当接し、該領域の他方の外側において第２本体部が配置面に当接するようにすれば、覆い正投影と載置正投影との間の領域が、第１本体部が配置面に当接する位置と、第２本体部が配置面に当接する位置と、に挟まれるように存するので、変位部の重心位置の配置面への正投影が移動しても安定して本収容具が配置面に配置される。
【０００９】
スライド本収容具においては、第１本体部及び第２本体部が、配置面を転動する転動部を含んでなるものであってもよい。
こうすることで収容物を載置した第２本体部と、収容物を載置した第２本体部の少なくとも一部をスライド自在に収容する第１本体部と、のいずれもが配置面を転動する転動部を含むことから、第１本体部及び第２本体部のいずれもが転動部により配置面に移動可能に支持される。このため第１本体部が第２本体部を円滑にスライド自在に収容することができる。配置面を転動する転動部としては、第１本体部及び第２本体部を支持しつつ配置面を転動するものであればよく、特に限定されるものではないが、一例としては、スーツケースに汎用されるキャスター、机や椅子に用いられる車輪等を例示できる。
【００１０】
スライド本収容具においては、載置位置における残部の前記表面の縁部が、当該収容具に対して相対的な所定の位置に存する使用者に向かって、配置面に沿った方向に突出するものであり、第２本体部と第１本体部とが配置面に当接し、載置位置における残部の前記表面の重心位置から、配置面に沿った方向に突出する該縁部に向かう方向と、第１本体部に対して第２本体部を引き出す方向が略平行であってもよい。
載置位置における残部（壁体の前記残部）の前記表面（載置位置においては配置面方向とは逆方向を向く）の縁部が、本収容具の使用者（本収容具に対して相対的な所定の位置に存する。通常は、立った状態か座った状態で配置面に存する。）に向かって、配置面に沿った方向に突出する場合、使用者に向かって突出する該縁部近傍の該表面に配置面方向への力が加わることが多い（例えば、該縁部近傍の該表面に物を載置したり、該縁部近傍の該表面に使用者が手をついたりすることがある。）。第２本体部と第１本体部とが配置面に当接すると共に、載置位置における残部の前記表面の重心位置から、配置面に沿った方向に突出する該縁部に向かう方向と、第１本体部に対して第２本体部を引き出す方向が略平行にすることで、該縁部近傍の該表面に配置面方向への力が加わっても、該縁部が配置面に近づく方向に本収容具が傾く虞を防止又は減少させることができる。なお、前記表面の重心位置とは、該表面に一様に質量を分布させたときの重心をいい、「該重心位置から、配置面に沿った方向に突出する該縁部に向かう方向と、第１本体部に対して第２本体部を引き出す方向が略平行」とは、両方向のうちいずれか一方を他方と交わるように平行移動させ、一方と他方とがなす角度（一方と他方とが全く同じ方向であれば０度であり、反対方向であれば１８０度である。）が、好ましくは１０度以下、より好ましくは５度以下、最も好ましくは２度以下である（無論、下限は０度である）。
【００１１】
本収容具においては、変位部が本体部に対して回動可能なものであり、該回動により覆い位置と載置位置との両位置を遷移するもの（以下、「回動本収容具」という）であってもよい。
こうすることで、本体部に対する変位部の回動により、覆い位置と載置位置との両位置を遷移することから、本体部に対して変位部を相対的に移動可能に支持する機構を簡単に構成することができ、本収容具の構成を容易にすることができる。
【００１２】
回動本収容具においては、本体部に対する変位部の前記回動の軸が配置面に略平行なものであってもよい。
こうすることで、配置面と変位部との間の距離が該回動により変化するので、覆い位置に存する該残部の表面よりも載置位置に存する該残部の表面が配置面から遠い位置になるようにすることができると共に、該回動により覆い位置と載置位置との間で該残部を配置面に対して回動させ、覆い位置と載置位置との両位置をうまく遷移させることができる（該残部が壁体を構成する状態（覆い位置）と該残部の表面が配置面方向とは逆方向を向く状態（載置状態）との間では、通常、該残部を配置面に対して回動させる必要があることが多い。）。
【００１３】
回動本収容具においては、覆い位置と載置位置との両位置のうち少なくともいずれかの一位置において、本体部に対する変位部の回動のうち該両位置の該一位置から他位置への回動を禁止する回動禁止手段を有するもの（以下、「回動禁止手段具備本収容具」という）であってもよい。
変位部が有する前記残部が壁体を構成する覆い位置と、該残部の表面が配置面方向とは逆方向を向く載置位置と、のいずれにおいても、その位置を保持しその位置における機能を安定して発揮できるように、両位置のうち少なくともいずれかの一位置（無論、両位置でもよい）において、本体部に対する変位部の回動のうち該両位置の該一位置から他位置（該一位置が覆い位置であれば該他位置は載置位置であり、該一位置が載置位置であれば該他位置は覆い位置である。）への回動を禁止する回動禁止手段を有するようにしてもよい（回動禁止手段は、該両位置の該一位置から他位置への回動を禁止すると共に許容することもできる。）。回動禁止手段は、本体部に対する変位部の回動のうち覆い位置と載置位置の一方から他方への回動を禁止するものであり、該一方から該他方への不意の回動を防止し、該一方における機能を安定的に発揮することができる。
【００１４】
回動禁止手段具備本収容具においては、回動禁止手段が、本体部及び変位部のいずれか一方に直接又は間接に取り付けられた把手部と、本体部及び変位部のいずれか他方に直接又は間接に取り付けられ把手部と係合することで前記回動を禁止する係合部と、を含んでなるものであってもよい。
把持部は、本収容具を移動させたり支持する等の際に手で把持されるものであり、本体部及び変位部のいずれか一方に直接又は間接（該一方に別の部材を介して取り付けられる）に取り付けられる。そして、係合部は、本体部及び変位部のいずれか他方（該一方ではないもの）に直接又は間接（該他方に別の部材を介して取り付けられる）に取り付けられ、把手部と係合することで前記回動（本体部に対する変位部の回動のうち前記両位置の一位置から他位置への回動）を禁止する（前記回動を許容することもできる）。このように把持部により回動禁止手段の一部が構成されることにより、回動禁止手段を容易に構成できる。
【図面の簡単な説明】
【００１５】
【図１】本発明の一実施形態に係る本収容具（載置位置）を示す斜視図である。
【図２】図１に示した本収容具の右側面図である。
【図３】図１に示した本収容具の正面図である。
【図４】本収容具を載置位置から覆い位置へ遷移させるため、回動部を回動させつつある状態を示す右側面図である。
【図５】覆い位置の本収容具を示す斜視図である。
【図６】図５に示した本収容具の右側面図である。
【図７】図５に示した本収容具の正面図である。
【発明を実施するための形態】
【００１６】
以下、本発明の実施の形態を図面を参照して説明する。しかしながら、これらによって本発明は何ら制限されるものではない。
【００１７】
図１は、本発明の一実施形態に係る収容具１１（後述の天板部６５の上面６５ａが、床面１０１に対して略平行になっている。本発明にいう載置位置の収容具１１を示している。）を示す斜視図であり、図２は収容具１１の右側面図（図１中の矢印Ａ方向から見たところを示している。）であり、そして図３は収容具１１の正面図（図２中の矢印Ｂ方向から見たところを示している。）である。図１乃至図３を参照して、載置位置の収容具１１について説明する。なお、図１乃至図３に示された収容具１１は、水平で平面に沿った床面１０１に載置された状態を示している。
図中、前方向を矢印Ｄｆにて、後方向を矢印Ｄｂにて、右方向を矢印Ｄｒにて、左方向を矢印Ｄｌにて、上方向を矢印Ｄｕにて、そして下方向を矢印Ｄｄにて、それぞれ示す（図２において収容具１１の左側の床面１０１に直立した使用者（不図示）が、図２において右側方向を向いた状態で該使用者が認識する前方向、後方向、右方向、左方向、上方向そして下方向を示している。）。
収容具１１は、大まかには、床面１０１に載置された本体部２１と、本体部２１に対して回動可能に取り付けられた回動部６１と、を備えてなる。
【００１８】
本体部２１は、上部に回動部６１が回動可能に取り付けられた第１本体部４１と、第１本体部４１に対して前後方向（矢印Ｄｆ、矢印Ｄｂ方向）に所定範囲内でスライド可能に取り付けられた第２本体部３１と、を有してなる。
【００１９】
第１本体部４１は、左右一対の右側面部４３ａ、左側面部４３ｂと、右側面部４３ａ及び左側面部４３ｂを連結する前面部４５と、右側面部４３ａ、左側面部４３ｂ及び前面部４５を連結するようにこれらの上部に形成された上部部分４７と、右側面部４３ａ及び左側面部４３ｂにそれぞれ取り付けられた一対の後輪部４９（左側面部４３ｂに取り付けられた後輪部は、図には表れないが、右側面部４３ａの後輪部と同様に配設されている。）と、を含んでなる。
右側面部４３ａ、左側面部４３ｂ、前面部４５及び上部部分４７は、棒状部材を溶接等して形成した一体の骨部分４２を有している。ここに右側面部４３ａ、左側面部４３ｂ及び前面部４５は、図２及び図３中の点線Ｃよりも下方に存するが、それぞれ全面にわたって板状部材４３ａｂ、４３ｂｂ、４５ｂが配設（板状部材４３ａｂ、４３ｂｂ、４５ｂは、骨部分４２に取り付けられて固定されている。）されることで、右側面部４３ａ、左側面部４３ｂ及び前面部４５は点線Ｃよりも下方において片仮名の「コ」の字に似た壁を形成している。
また、右側面部４３ａ及び左側面部４３ｂの外面には一対の側面取手部４４ａ、４４ｂが取り付けられ、上部部分４７には上部取手部５１が取り付けられている。
これら側面取手部４４ａ、４４ｂ及び上部取手部５１は、後述の回動取っ手部４８と同様に、収容具１１を引き上げたり引っぱったりそして押す際に手で把持して用いることができる。
第１本体部４１が有する一対の後輪部４９は、後述の前輪部３９ａ、３９ｂと一緒になって、収容具１１が床面１０１を円滑に移動することを可能ならしめる。なお、一対の後輪部４９及び前輪部３９ａ、３９ｂは、いずれも一般的なスーツケースに用いるキャスターを用いている。
【００２０】
第２本体部３１は、第１本体部４１に対し前後方向（矢印Ｄｆ、矢印Ｄｂ方向）の所定範囲内でスライド可能に支持された棚状の収容部３２と、収容部３２の下面に左右に取り付けられた一対の前輪部３９ａ、３９ｂと、を含んでなる。
収容部３２は、収容具１１が収容し搬送する物品２０１を載置する載置板３３（特に図１）と、載置板３３に固定され、右側面部４３ａ内面及び左側面部４３ｂ内面に取り付けられた支持ローラー４６が転動する左右一対のレール部材３４ａ、３４ｂと、載置板３３に固定され、第１本体部４１に対し第２本体部３１が前方向（矢印Ｄｆ方向）に移動することを制限する後面板３５（後面板３５が、右側面部４３ａ及び左側面部４３ｂの後縁に当接することで、さらなる該移動を禁止する。）と、を有してなる。
載置板３３は上面が平面をなし、収容具１１が床面１０１に載置された状態においては、第１本体部４１に対する第２本体部３１の前後方向の位置に関わらず該上面が床面１０１と略平行をなす（載置板３３の該上面が床面１０１に対して略平行を保った状態で、第１本体部４１に対して第２本体部３１が前後方向にスライド自在となっている。）。
レール部材３４ａ、３４ｂは、右側面部４３ａ内面及び左側面部４３ｂ内面に回転自在に取り付けられた支持ローラー４６が転動するものであり、この転動によって第２本体部３１が第１本体部４１に対し前後方向（矢印Ｄｆ、矢印Ｄｂ方向）にスライド可能に支持される。
また、一対の前輪部３９ａ、３９ｂは、収容部３２を床面１０１に対して移動可能に担持するものであり、これによって収容部３２が第１本体部４１に対し前後方向に円滑に移動できる。
このように第２本体部３１は、載置板３３の上面に物品２０１を載置した状態で第１本体部４１に対し前後方向にスライド可能であり、第１本体部４１に対し最前位置（矢印Ｄｆ方向）に移動すると、物品２０１が第１本体部４１の内部空間４１ｑ（前述の片仮名の「コ」の字の内部）に収容される。
【００２１】
なお、第２本体部３１が第１本体部４１に対して前後方向にスライドすることは、第２本体部３１の第１本体部４１に対する所定の前後位置において、スライド固定プランジャ３７（図２、図４、図６）によって禁止することができる。このため載置位置の天板部６５の上面６５ａにおいて所望作業を行うのに適した第２本体部３１の第１本体部４１に対する前後位置（ここでは図１及び図２の位置。上面６５ａに物品を載置しても安定した位置。）と、覆い位置において載置板３３に載置された物品２０１を内部空間４１ｑに収容するのに適した第２本体部３１の第１本体部４１に対する前後位置（ここでは図５及び図６の位置。載置板３３及びそれに載置された物品２０１が内部空間４１ｑにうまく収容される位置。）と、のそれぞれにおいて、スライド固定プランジャ３７により第２本体部３１を第１本体部４１に対して前後方向に固定することができる（前後方向へのスライドを禁止する）。
【００２２】
回動部６１は、上部部分４７に対して回動自在に取り付けられた回動本体部６３と、回動本体部６３により支持された天板部６５と、天板部６５の上面６５ａに載置された載置物（不図示）が天板部６５の周囲から落下することを防止する周囲柵部材６６と、回動部６１の上部部分４７に対する回動を緩やかにするためのダンパー６８と、回動本体部６３に回動軸Ｇを中心に回動自在に取り付けられた回動取っ手部４８と、を有してなる。
【００２３】
回動本体部６３は、回動軸Ｆを中心に回動自在に上部部分４７に取り付けられている。回動本体部６３は、回動右側面部６３ａ、回動左側面部６３ｂ及び回動後面部６４を有しており、回動右側面部６３ａ、回動左側面部６３ｂ及び回動後面部６４は、棒状部材を溶接等して形成した一体の骨部分６２を有している。
回動右側面部６３ａ、回動左側面部６３ｂ及び回動後面部６４は、板状部材６３ａｂ、６３ｂｂ、６４ｂが配設（板状部材６３ａｂ、６３ｂｂ、６４ｂは、骨部分６２に取り付けられて固定されている。）されることで、回動右側面部６３ａ、回動左側面部６３ｂ及び回動後面部６４は、片仮名の「コ」の字に似た壁を形成している。
【００２４】
天板部６５は、両主表面（該両主表面のうち一主表面が上面６５ａをなす）が長方形を略なす板状部材によって構成されており、天板部６５の縁部が回動本体部６３に固定されることで、上部部分４７に対して回動軸Ｆを中心として回動自在に支持されている。
周囲柵部材６６は、天板部６５の上面６５ａの４の縁部のうち、後方の後縁部６５ｅ１を除く３の縁部を巡るように上面６５ａよりもやや高い位置に形成されている（周囲柵部材６６は回動本体部６３に固定されている。）。
ダンパー６８は、一端が回動本体部６３に回動自在に取り付けられると共に他端が第１本体部４１に回動自在に取り付けられることで、回動部６１が上部部分４７に対して回動する際に抵抗を付与し該回動を緩やかにする。
回動取っ手部４８は、角棒材の両端近傍が略直角に曲げられた片仮名の「コ」の字の形状を有してなり、該両端が回動本体部６３に回動軸Ｇを中心に回動自在に取り付けられている。回動取っ手部４８は、後述の回動禁止プランジャ５３と係合可能なプランジャ受け部５５を有している。
なお、回動軸Ｇは回動軸Ｆと平行であり、これら回動軸Ｇ及び回動軸Ｆは床面１０１に平行である。
【００２５】
本体部２１に対し回動軸Ｆを中心に回動可能に取り付けられた回動部６１は、次の２つの回動位置にて回動を固定（禁止）することができるようになっている。
該２つの回動位置のうち一方の固定回動位置は、図１乃至図３に示すように、天板部６５の上面６５ａが床面１０１に対し略平行になる状態（載置位置）である。載置位置は、回動禁止プランジャ５３とプランジャ受け部５５との係合によって固定される（回動禁止プランジャ５３の下端は、下方に突出するように常時付勢されており、該下端が収容される凹部がプランジャ受け部５５に形成されている。該下端と該凹部とが係合することで、載置位置が保持される。該係合を解く場合は、回動禁止プランジャ５３の該下端を手動により上昇させ、該下端をプランジャ受け部５５の該凹部から後退させれば、該係合を解くことができる。）。
該２つの回動位置のうち他方の固定回動位置は、後述する通り、天板部６５が物品２０１の後方にて床面１０１に対して略垂直になる状態（覆い位置）である。覆い位置は、後述のバックル５６ａ、５６ｂと留金具５７ａ、５７ｂとの係合によって固定される（該係合により覆い位置が保持される。該係合を解く場合は、バックル５６ａ、５６ｂを手動により解放する。）。
【００２６】
図４は、図１乃至図３に示した載置位置から、後述の図５乃至図７に示す覆い位置に遷移させるため、収容具１１の回動部６１を回動させつつある状態を示す右側面図（図２と同様の方向から見ている）である。図４を参照して、回動部６１の回動状態について説明する。
図１乃至図３に示した載置位置から回動部６１を回動させるには、まず、載置位置を固定する回動禁止プランジャ５３とプランジャ受け部５５との係合を解く。具体的には、回動禁止プランジャ５３の前記下端を下方への付勢力に抗して手動により上昇させ、プランジャ受け部５５が取り付けられた回動取っ手部４８を回動軸Ｇを中心に回動させることで、回動禁止プランジャ５３からプランジャ受け部５５の位置をずらすことで該係合を解き、回動部６１の回動を可能にする（回動禁止プランジャ５３とプランジャ受け部５５との関係を図４に示すものとする。）。
そして、図２から図４へ本体部２１に対して回動部６１が回動軸Ｆを中心として回動するように、回動部６１に力を加え、図４に示すように回動部６１を回動させる。この回動部６１の回動軸Ｆを中心とした回動はダンパー６８を縮めるので、ダンパー６８が該回動に抵抗を与え該回動を緩やかにする。
図４から、さらに図４において反時計回りに、本体部２１に対し回動軸Ｆを中心に回動部６１を回動させることで、後述する図５、図６及び図７に示される覆い位置に遷移させることができる。
【００２７】
図５は、覆い位置の収容具１１（天板部６５が、床面１０１に対して略垂直になっている。）を示す斜視図（図１と同様の方向から見たところを示している。）であり、図６は覆い位置の収容具１１の右側面図（図２と同様の方向から見たところを示している。）であり、そして図７は覆い位置の収容具１１の正面図（図３と同様の方向から見たところを示している。）である。図５乃至図７を参照して、覆い位置の収容具１１について説明する。
【００２８】
覆い位置の収容具１１は、図１乃至図３に示した載置位置の収容具１１から、右側面図（図２、図４、図６）において回動部６１が反時計回りに約９０度回動している。これによりバックル５６ａと留金具５７ａとが当接すると共にバックル５６ｂと留金具５７ｂとが当接することによって、回動部６１が本体部２１に対して回動軸Ｆを中心として右側面図においてさらに反時計回りに回動することが禁止される。そして、バックル５６ａに留金具５７ａを係止すると共にバックル５６ｂに留金具５７ｂを係止することで（いずれの係止もバックル５６ａ、５６ｂを手動にて操作する。この係止された状態を図５乃至図７に示している。）、回動部６１が本体部２１に対して回動軸Ｆを中心に右側面図において時計回りに回動することが禁止される。これによって回動部６１が本体部２１に対して回動軸Ｆを中心に右側面図において反時計回り及び時計回りのいずれに回動することも禁止される。このように回動部６１が本体部２１に対して右側面図において回動軸Ｆを中心に反時計回り及び時計回りのいずれに回動することも禁止された状態（覆い位置）においては、天板部６５が床面１０１に対して略垂直になっており、天板部６５が物品２０１の後方にて物品２０１を覆うように配置されている。
【００２９】
加えて、覆い位置においては、回動右側面部６３ａと右側面部４３ａとは同一平面に略属し（回動右側面部６３ａと右側面部４３ａとは、僅かな隙間７１を挟んでほぼぴったりと合わさっている。）、物品２０１の右方にて物品２０１を覆うように位置すると共に、回動左側面部６３ｂと左側面部４３ｂとは同一平面に略属し（回動左側面部６３ｂと左側面部４３ｂとは、回動右側面部６３ａと右側面部４３ａと同様に、僅かな隙間（図に現れない）を挟んでほぼぴったりと合わさっている。）、物品２０１の左方にて物品２０１を覆うように位置している。そして、回動後面部６４及び上部部分４７は、物品２０１を上方から覆うように位置している。このようにして、覆い位置の収容具１１においては、載置板３３に載置された物品２０１は、下方が載置板３３にて、前方が前面部４５にて、後方が天板部６５にて、右方が回動右側面部６３ａ及び右側面部４３ａにて、左方が回動左側面部６３ｂ及び左側面部４３ｂにて、そして上方が回動後面部６４及び上部部分４７にて、それぞれ覆われているので、収容具１１の内部空間４１ｑにおいて保護される。覆い位置においては、回動右側面部６３ａ、右側面部４３ａ、回動左側面部６３ｂ、左側面部４３ｂ、前面部４５及び天板部６５によって物品２０１が、床面１０１に対して平行方向から取り囲まれている。
【００３０】
このような図５乃至図７に示された覆い位置の収容具１１は、バックル５６ａと留金具５７ａとの係合と、バックル５６ｂと留金具５７ｂとの係合と、を解くことで（いずれの係止もバックル５６ａ、５６ｂを手動にて操作する。）、回動部６１が本体部２１に対して回動軸Ｆを中心として右側面図において時計回りに回動することが許容される。該時計回りへの回動が許容された状態において、本体部２１に対して回動部６１に力を加えて、回動部６１を本体部２１に対して回動軸Ｆを中心として右側面図において時計回りに回動させることで、前述の図４の状態を経由して、図１乃至図３に示した載置位置の収容具１１とすることができる。なお、載置位置の回動部６１の本体部２１に対する回動の固定は、回動禁止プランジャ５３とプランジャ受け部５５とを係合させればよい。これによって、載置位置の収容具１１が有する天板部６５の上面６５ａを机上面として用い、所望の作業（物品２０１を用いるものであっても又は物品２０１を用いないものであってもいずれでもよい。）を行うことができる（例えば、物品２０１に含まれる又は含まれない道具及び／又は図面を上面６５ａに載置し作業したり、物品２０１に含まれる又は含まれないパーソナルコンピュータを上面６５ａに載置し作業を行うことができる。）。
【００３１】
以上説明の通り、収容具１１は、平らな配置面（ここでは床面１０１）に置かれ、配置面（床面１０１）に対して平行方向から少なくとも収容物（ここでは物品２０１）を取り囲むように形成された壁体（ここでは回動右側面部６３ａ、右側面部４３ａ、回動左側面部６３ｂ、左側面部４３ｂ、前面部４５及び天板部６５を含んで構成されている。）の内部に収容物（物品２０１）を収容する収容具であって、配置面（床面１０１）に置かれ、収容物（物品２０１）を収容し、該壁体（回動右側面部６３ａ、右側面部４３ａ、回動左側面部６３ｂ、左側面部４３ｂ、前面部４５及び天板部６５を含んでなる。）の一部（ここでは右側面部４３ａ、左側面部４３ｂ及び前面部４５を含んでなる。）を有する本体部２１と、該壁体（回動右側面部６３ａ、右側面部４３ａ、回動左側面部６３ｂ、左側面部４３ｂ、前面部４５及び天板部６５を含んでなる。）の残部（ここでは回動右側面部６３ａ、回動左側面部６３ｂ及び天板部６５を含んでなる。）を有し、本体部２１に対して相対的に移動可能に支持される変位部（ここでは回動部６１）と、を備えてなり、該残部（回動右側面部６３ａ、回動左側面部６３ｂ及び天板部６５を含んでなる。）が、収容物（物品２０１）を取り囲む壁体（回動右側面部６３ａ、右側面部４３ａ、回動左側面部６３ｂ、左側面部４３ｂ、前面部４５及び天板部６５を含んでなる。）を構成する位置である覆い位置（図５、図６、図７に示した位置）と、覆い位置（図５、図６、図７）に存する該残部（回動右側面部６３ａ、回動左側面部６３ｂ及び天板部６５を含んでなる。）の表面（ここでは天板部６５の上面６５ａ）よりも配置面（床面１０１）から遠い位置において該残部（回動右側面部６３ａ、回動左側面部６３ｂ及び天板部６５を含んでなる。）の表面（天板部６５の上面６５ａ）が配置面（床面１０１）方向とは逆方向を向く位置（ここでは該表面（上面６５ａ）が、配置面（床面１０１）方向である下方向（矢印Ｄｄ方向）とは逆方向である上方向（矢印Ｄｕ方向）を向いている。）である載置位置（図１、図２、図３に示した位置）と、の両位置を取り得るものである、収容具である。
【００３２】
収容具１１においては、本体部２１が、収容物（物品２０１）を載置する第２本体部３１と、収容物（物品２０１）を載置した第２本体部３１の少なくとも一部をスライド自在（ここでは前後方向（矢印Ｄｆ、矢印Ｄｂ方向）にスライド自在）に収容する第１本体部４１と、を含んでなる。
収容具１１においては、変位部（回動部６１）の重心位置の配置面（床面１０１）への正投影が、覆い位置（図５、図６、図７）から載置位置（図１、図２、図３）へ遷移する際に移動するものであり（覆い位置の正投影を点Ｇ２にて示し、載置位置の正投影を点Ｇ１にて示す。図２、図３、図６、図７を参照されたい。）、本体部２１が配置面（床面１０１）に当接する位置が、第１本体部４１に対する第２本体部３１のスライド位置に関わらず（ここでは載置位置（図１、図２、図３）においては第１本体部４１から第２本体部３１を最も引き出した状態にしており、覆い位置（図５、図６、図７）においては第１本体部４１から第２本体部３１を全く引き出していない状態にしている。）、覆い位置（図５、図６、図７）における変位部（回動部６１）の重心位置の正投影Ｇ２と載置位置（図１、図２、図３）における変位部（回動部６１）の重心位置の正投影Ｇ１との該移動方向（ここでは前後方向（矢印Ｄｆ、矢印Ｄｂ方向））に沿った間の領域Ｒ（図２及び図６を参照）の一方（ここでは図２及び図６において右側）の外側において第１本体部４１が配置面（床面１０１）に（位置Ｐ１にて）当接し、該領域Ｒの他方（ここでは図２及び図６において左側）の外側において第２本体部３１が配置面（床面１０１）に（位置Ｐ２にて）当接するものである。
【００３３】
収容具１１においては、第１本体部４１及び第２本体部３１が、配置面（床面１０１）を転動する転動部（ここでは一対の後輪部４９及び前輪部３９ａ、３９ｂ）を含んでなるものである。
収容具１１においては、載置位置（図１、図２、図３）における残部（回動右側面部６３ａ、回動左側面部６３ｂ及び天板部６５を含んでなる。）の前記表面（天板部６５の上面６５ａ）の縁部（ここでは後縁部６５ｅ１）が、当該収容具１１に対して相対的な所定の位置に存する使用者（ここでは図示していないが、図２においては収容具１１直近左側の配置面（床面１０１）に直立する。）に向かって、配置面（床面１０１）に沿った方向に突出するものであり、第２本体部３１と第１本体部４１とが配置面（床面１０１）に当接し（当接位置Ｐ１、Ｐ２）、載置位置（図１、図２、図３）における残部（回動右側面部６３ａ、回動左側面部６３ｂ及び天板部６５を含んでなる。）の前記表面（天板部６５の上面６５ａ）の重心位置Ｇ３（図１参照）から、配置面（床面１０１）に沿った方向に突出する該縁部（後縁部６５ｅ１）に向かう方向Ｙ（図１参照。該重心位置から、該使用者から最も近い該縁部の位置に向かう方向であり、ここでは後方向（矢印Ｄｂ方向）である。）と、第１本体部４１に対して第２本体部３１を引き出す方向（後方向（矢印Ｄｂ方向））が略平行（ここでは同方向）である。
【００３４】
収容具１１においては、変位部（回動部６１）が本体部２１に対して回動可能（回動軸Ｆを中心に回動可能）なものであり、該回動により覆い位置（図５、図６、図７）と載置位置（図１、図２、図３）との両位置を遷移するものである。
収容具１１においては、本体部２１に対する変位部（回動部６１）の前記回動の軸Ｆが配置面（床面１０１）に略平行なものである。
収容具１１においては、覆い位置（図５、図６、図７）と載置位置（図１、図２、図３）との両位置のうち少なくともいずれか（ここでは両位置とも）の一位置において、本体部２１に対する変位部（回動部６１）の回動のうち該両位置の該一位置から他位置への回動を禁止する回動禁止手段（ここでは覆い位置において覆い位置から載置位置への回動を禁止するバックル５６ａ、５６ｂ及び留金具５７ａ、５７ｂと、載置位置において載置位置から覆い位置への回動を禁止する回動禁止プランジャ５３及びプランジャ受け部５５とが構成する。）を有するものである。
収容具１１においては、回動禁止手段（バックル５６ａ、５６ｂ及び留金具５７ａ、５７ｂと、回動禁止プランジャ５３及びプランジャ受け部５５とが構成する。）が、本体部２１及び変位部（回動部６１）のいずれか一方（ここでは変位部（回動部６１））に直接又は間接に取り付けられた把手部（ここでは回動取っ手部４８）と、本体部２１及び変位部（回動部６１）のいずれか他方（ここでは本体部２１）に直接又は間接に取り付けられ把手部（回動取っ手部４８）と係合（ここでは回動取っ手部４８のプランジャ受け部５５と、回動禁止プランジャ５３と、が係合する。）することで前記回動を禁止する係合部（ここでは回動禁止プランジャ５３）と、を含んでなる。
【符号の説明】
【００３５】
１１            収容具
２１            本体部
３１            第２本体部
３２            収容部
３３            載置板
３４ａ、３４ｂ  レール部材
３５            後面板
３７            スライド固定プランジャ
３９ａ、３９ｂ  前輪部
４１            第１本体部
４１ｑ          内部空間
４２            骨部分
４３ａ          右側面部
４３ａｂ        板状部材
４３ｂ          左側面部
４３ｂｂ        板状部材
４４ａ、４４ｂ  側面取手部
４５            前面部
４５ｂ          板状部材
４６            支持ローラー
４７            上部部分
４８            回動取っ手部
４９            後輪部
５１            上部取手部
５３            回動禁止プランジャ
５５            プランジャ受け部
５６ａ、５６ｂ  バックル
５７ａ、５７ｂ  留金具
６１            回動部
６２            骨部分
６３            回動本体部
６３ａ          回動右側面部
６３ａｂ        板状部材
６３ｂ          回動左側面部
６３ｂｂ        板状部材
６４            回動後面部
６４ｂ          板状部材
６５            天板部
６５ａ          上面
６５ｅ１        後縁部
６６            周囲柵部材
６８            ダンパー
７１            隙間
１０１            床面
２０１            物品
【図１】
2018064660.tif 000003
【図２】
2018064660.tif 000004
【図３】
2018064660.tif 000005
【図４】
2018064660.tif 000006
【図５】
2018064660.tif 000007
【図６】
2018064660.tif 000008
【図７】
2018064660.tif 000009